(57)【特許請求の範囲】
【請求項１】
感光体に担持されたトナー像を転写材に転写し、転写材のトナー像を定着装置により転写材に定着させる電子写真装置において、該定着装置がプレートと、該プレートと対向して配されるヒータ装置と、該ヒータ装置に空気を送るファンと、及びプレートの前端部の吸引孔に通じる吸引ファンとを有し、前記転写材の先端部の減速によるつまりを無くして、前記転写材の搬送速さをほぼ一定にするように、前記転写材の先端が吸引孔を通過した後吸引孔を介して転写材に吸引力を付与することを特徴とする電子写真装置。
【請求項２】
吸引ダクト内の空気を吸引するよう配される吸引ファンが、プレートの後端部出口側に配されたスイッチにより作動制御される請求項１記載の電子写真装置。
【請求項３】
感光体の周辺に配したセンサーが転写材の後端部を検知すると吸引ファンの運転を中断させる請求項２記載の電子写真装置。
【請求項４】
センサーが一定時間経過した後吸引ファンの運転を中断させる請求項3記載の電子写真装置。
【発明の詳細な説明】
【０００１】
【発明の属する技術分野】
本発明は、転写材が定着装置へ送り込まれている間に、転写材を吸引する装置のファンの運転をオン・オフ状態とさせる電子写真装置に関する。
【０００２】
【従来の技術】
電子写真装置は、感光体上のトナー像を転写材に転写し、次いで、定着装置によりトナー像を転写材に定着させる基本構成を有する。
定着装置は、転写材の搬送路に沿い且つ下部が開口するハウジング内に納められた電気ヒータの熱をファンを回すことで、ヒータと対向し且つ搬送路の下部に配されるプレートに空気を介して伝達させ、プレートを昇温させるものが使用される（特公昭５４−１９７８５号公報参照）。電気ヒータは、通常、複数個離間して配され、ファンからの空気が電気ヒータの間を通り、その間に空気は温風となってプレートに吹き付けられプレートを加熱させている。
【０００３】
感光体とプレートとの間には転写材を定着装置に送るための転写材の搬送装置としてのベルトが配され、ベルト上に移動した転写材はプレート上に送られ、プレートに沿って搬送されていく。このとき、転写材は、プレートの熱を下部から、ヒータにより加熱された温風の熱を上部から受けて加熱され、トナー像を転写材に定着させている。
【０００４】
【発明が解決しようとする課題】
前述した定着装置において、ファンによってプレート方向に温風が強制されるが、この温風は転写材をヒータ方向へめくり上げたり、転写材とプレートとの間に入り転写材の弛みを作り、像のにじみや変形を作る。
【０００５】
このため、プレートの適所に吸引孔を穿設し、プレート上へ搬送されてきた転写材をプレート上に、この吸引孔を用いて吸引しながら移動させることがなされる。
しかしながら、吸引孔によりプレート周辺の空気を吸引している状態の下に、転写材の先端がくると、転写材の先端は吸引動作を受けてその速度を後続の部分より遅くさせる。このような転写材の先端部分の減速は転写材のつまりを作り好ましくない。
それ故に、本発明は前述した従来技術の不具合を解消させることを、解決すべき課題とする。
【０００６】
【課題を解決するための手段】
本発明は、前述した課題を解決するために、基本的には、転写材の先端が定着装置の出口部に達したとき、プレートの前端部の吸引孔より吸引させるようにする手段を用いる。
この手段の採用は、転写材の先端部の減速によるつまりを無くし、転写材の搬送速さをほぼ一定とさせ得る。
【０００７】
本発明によれば、感光体に担持されたトナー像を転写材に転写し、転写材のトナー像を定着装置により転写材に定着させる電子写真装置において、該定着装置がプレートと、該プレートと対向して配されるヒータ装置と、該ヒータ装置に空気を送るファンと、及びプレートの前端部の吸引孔に通じる吸引ファンとを有し、転写材の先端が吸引孔を通過した後吸引孔を介して転写材に吸引力を付与することを特徴とする電子写真装置が提供される。
【０００８】
好ましくは、吸引孔に通じる吸引ファンが、プレートの後端部出口側のスイッチにより作動制御される。
これによれば、転写材の先端がスイッチに触れると吸引ファンが動作し、転写材をプレート側に吸引する。転写材の後端部を感光体周辺のセンサーが検知すると、吸引ファンの運転を中断させる。吸引ファンの運転の再開は、後続の転写材３の先端部によるスイッチの動作により行われる。
【０００９】
【発明の実施の形態】
本発明の好ましい実施例を図１に従って説明する。
電子写真装置１は、アルミニウム等の基体の表面に電子写真感光体を備えた感光体２（一般にはドラム形状、これとは別にベルト形状のものもある）に担持されたトナー像を転写材３に転写し、次いで、像を有する転写材３を定着装置４に送り、ここでトナー像を転写材３に定着させた後に、外部へ搬出させる基本構成を有する。
転写材３は、一般には普通紙が用いられ、給紙ロール或いはカセットを用い搬送路５を介して感光体２の方向へと供給される。
【００１０】
搬送路５は、繰り出しローラ６，カッター７，搬送ローラ８及びレジストローラ９を有し、合成樹脂材や金属板よりなるガイド板１０により、転写材３の搬路が確保される構成となっている。
繰り出しローラ６は、給紙ロールやカセットからの転写材３を搬送路５内に送り込む働きをし、カッター７は、図示しないコントローラからの信号を受けて、信号に応じた転写材３の長さに転写材３の幅方向を切断する。本例は、転写材３はその幅寸法を１〜１．５ｍとする大版のものを用いることを意図している。
カッター７にて所望長さに切断された転写材３は、搬送ローラ８により前進し且つレジストローラ９によりその送り速さが調整される。
【００１１】
感光体２と対向した転写材３に、転写コロナ放電器１１の作用下で、感光体２に担持されたトナー像を転写材３に転写する。転写後の転写材３は分離コロナ放電器１２により感光体２より分離されて、搬送ベルト１３上に送られる。
搬送ベルト１３は、対の離間したプーリ１４，１４により回動し、この上に送られてきた転写材３を定着装置４へと供給する。
【００１２】
定着装置４は、金属板からなるやや傾斜した形で配されたプレート１５と、プレート１５と対向するヒータ１６と、ヒータ１６方向に風を送るファン１７と、ヒータ１６とファン１７を囲むハウジング１８と、及び対のローラからなる搬出ローラ１９よりなる。
電子写真装置の電源或いは複写指示ボタンをオン状態とさせると運転状態となるファン１７により送られた空気は、ヒータ１６に向けられ、ここで温められた空気は、プレート１５の方向に流れる。ヒータ１６からの温風は、プレート１５を加熱し、プレート１５上に送られてきた転写材３は、温風とプレート１５の熱とにより加熱され、転写材３上に転写されたトナー像を転写材３に定着させる。定着処理された転写材３は搬出ローラ１９により外部へ搬出される。
【００１３】
本例では、ヒータ１６は、通電することにより発熱するワイヤ或いはプレート体を離間対向させて複数個、傾斜する形に配したものを用い、ファン１７からの空気がヒータの間を上から下に向かって斜め方向に流れながら温められるようになっている。
温風は、プレート１５に斜めに入射する形で供給され、プレート１５に沿ってその下流側に流れ、プレート１５と熱交換し、再び、ファン１７で集められて循環させられる。その一部はハウジング１８の外部へと流出する。
【００１４】
図１に示すように、レジストローラ９と感光体２との間にフォトセンサー２１を配す。フォトセンサー２１は発光体と受光体とよりなり、たとえば、電子写真装置の電源をオンとすると発光体が受光体に光を送るオン状態となる。
搬送路５に沿って転写材３が送られると、フォトセンサー２１の光は遮られ、フォトセンサー２１がオフ状態となる。転写材３がフォトセンサー２１の部分を通過中、フォトセンサー２１はオフ状態を持続する。しかし、転写材３の後端部がフォトセンサー２１の部分を通過すると、フォトセンサー２１の光を遮るものはなく、フォトセンサー２１はオフ状態からオン状態へと切り換えられる。このときの切換信号がタイマー（図示なし）を作動させ、一定時間経過した後、温風のためのファン１７を非運転状態とさせる。
【００１５】
この一定時間は、転写材３の後端部が定着装置４へ進入する直前迄の時間に相当し、この結果、転写材３の後端部が定着装置４の内部へと進入していくときには、ファン１７による温風の吹きつけはない。
所定時間経過後、タイマーがファン１７の運転を再開する。後続の転写材３は、ファン１７の運転が再開された後、その先端部が定着装置４の内へと進入する。このように転写材３の送りを制御する。
【００１６】
フォトセンサー２１に代えて、図２に示すような略Ｌ字状のセンサー２１′を用いることもできる。
図２に示す搬送ベルト１３は、その幅方向で二分され、その対向側端間に離間したスペース２０が確保される。
入口側のプーリ１４に近接して配したブラケット（図示なし）にレバータイプのセンサー２１′を枢着させる。センサー２１′の先端はスプリングの付勢力により常時ベルト１３より上方に突出するよう配されている。
このため、ベルト１３上に転写材３が送られてくると、転写材３がセンサー２１′の先端を抑え込み、これをベルト１３と同平面とさせる。このセンサー２１′の動きはフォトセンサー２１のオフ状態に相当する。転写材３の後端部がセンサー２１′から離れると、レバータイプのセンサー２１′の先端部がベルト１３の上方へ突出し、センサー２１′をオフ状態からオン状態へと切り換える。このときの切換信号がタイマーを作動させ、一定時間経過した後に、温風のためのファン１７を非運転状態とさせる。
【００１７】
この一定時間は、転写材３の後端部が定着装置４へ進入する直前迄の時間に相当し、この結果、転写材３の後端部が定着装置４の内部へと進入していくときには、ファン１７による温風の吹きつけはない。
所定時間経過後、タイマーがファン１７の運転を再開する。後続の転写材３は、ファン１７の運転が再開された後、その先端部が定着装置４の内へと進入する。
このように、レバータイプのセンサー２１′を用いてもフォトセンサー２１を用いた場合と同じ作用を得ることができる。
【００１８】
図３に示すように、プレート１５の前端の傾射部２２の中央部に複数個の離間した吸引孔２３が穿設される。これら吸引孔２３はダクト２４，２５に通じる。
ダクト２５は吸引ファン２６を備える。
かくして、吸引ファン２６が作動すると、吸引孔２３、ダクト２４，２５を介して、プレート１５の前端部の空気が吸引され、この部分に送られてきた転写材３はプレート１５に吸着されるようにして送られることになる。
【００１９】
図１に示すように、搬出ローラ１９に近接したブラケット（図示なし）に略Ｚ状のスイッチ２７を枢支させる。
このスイッチ２７は、定着装置４から転写材３が送られてくると、その転写材３により回動し、信号をコントローラ（図示なし）に送る。コントローラが該信号を受けると吸引ファン２６をオン状態とさせ、吸引孔２３、ダクト２４，２５を介して、プレート１５の前端部の空気を吸引する。この結果、前述した如く、転写材３はプレート１５に密着するような形で搬出ローラ１９の方向へ送られ、プレート１５の熱を転写材３に効率よく伝え、定着ムラを無くする。
【００２０】
フォトセンサー２１（又はレバータイプのセンサー２１′）が転写材３の後端部を検知すると、タイマー（図示なし）が動作し、一定時間経過後、吸引ファン２６を非運転状態とさせる。
後続の転写材３が定着装置４内に入り、スイッチ２７を動作させると、吸引ファン２６の運転が再開されることになる。
【図面の簡単な説明】
【図１】本発明の一例の電子写真装置の断面図である。
【図２】定着装置の入口側のベルトを示す平面図である。
【図３】吸引孔と吸引ダクトを示す部分斜視図である。
【符号の説明】
２  感光体
３  転写材
４  定着装置
５  搬送路
７  カッター
１３  ベルト
１４  プーリ
１５  プレート
１６  ヒータ
１７  ファン
１９  搬出ローラ
２１  センサー
２３  吸引孔
２４，２５  ダクト
２６  吸引ファン
２７  スイッチ
【図１】
0004681167.tif 000002
【図２】
0004681167.tif 000003
【図３】
0004681167.tif 000004